【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
印刷媒体上に形成されるページのレイアウトを決定するレイアウト調整装置であって、
データが流し込まれる複数の部分領域を関連づけるためのリンクと、前記部分領域内に含まれるデータが流し込まれる複数の小領域を関連付けるためのリンクとを管理する管理手段と、
前記部分領域に流し込まれるデータの大きさに基づいて、それぞれの部分領域に流し込まれるデータを描画するために適した部分領域のサイズをそれぞれ算出する算出手段と、
前記算出手段で算出された各部分領域のサイズと前記管理手段によって管理されている部分領域を関連付けるためのリンクの関係とに基づいて、前記ページ内の複数の部分領域のレイアウトを調整する第１調整手段と、
前記第１調整手段によって調整された複数の部分領域のレイアウト結果と前記複数の小領域を関連付けるためのリンクとに基づいて、それぞれの部分領域内に含まれる複数の小領域のレイアウトを調整する第２調整手段を有することを特徴とするレイアウト調整装置。
【請求項２】
前記管理手段は、矩形形状をした前記複数の小領域のサイズに基づいてサイズが決定される矩形形状をした前記部分領域を有する前記テンプレートデータを管理することを特徴とする請求項１に記載のレイアウト調整装置。
【請求項３】
前記第２調整手段は、前記部分領域内の前記複数の小領域のサイズを、それぞれの小領域に対して流し込まれるデータの大きさから求まる理想サイズと前記複数の小領域を関連付けるリンクとの関係と前記部分領域のサイズとに基づいて調整することを特徴とする請求項１または２に記載のレイアウト調整装置。
【請求項４】
前記管理手段は、前記複数の小領域が全て含まれるサイズの外接矩形を前記部分領域とする前記テンプレートデータを管理することを特徴とする請求項１乃至３のいずれか１項に記載のレイアウト調整装置。
【請求項５】
前記部分領域のエッジを固定又は可変にすることを設定する設定手段をさらに有することを特徴とする請求項１乃至４のいずれか１項に記載のレイアウト調整装置。
【請求項６】
前記設定手段は、前記部分領域のエッジについて、該部分領域内の複数の小領域のエッジの状態に基づいて固定又は可変に設定することを特徴とする請求項５に記載のレイアウト調整装置。
【請求項７】
前記設定手段によって前記部分領域のエッジが可変に設定された場合、該エッジ設定用画面を表示装置に表示する表示手段をさらに有することを特徴とする請求項５又は６に記載のレイアウト調整装置。
【請求項８】
データが流し込まれる部分領域をページ内にレイアウトして前記基本レイアウトを決定する基本レイアウト決定手段をさらに有することを特徴とする請求項１乃至７のいずれか１項に記載のレイアウト調整装置。
【請求項９】
前記複数の部分領域内に流し込まれるデータを取得する取得手段と、
前記取得手段により取得された前記データを前記第１調整手段によってレイアウトが調整された前記ページ内にレイアウトされている前記複数の部分領域内に流し込むレイアウト処理手段と
をさらに有することを特徴とする請求項１乃至８のいずれか１項に記載のレイアウト調整装置。
【請求項１０】
前記レイアウト処理手段により前記データが流し込まれた前記複数の部分領域がレイアウトされた前記ページを印刷媒体上に印刷する印刷手段をさらに有することを特徴とする請求項９に記載のレイアウト調整装置。
【請求項１１】
印刷媒体上に形成されるページのレイアウトを決定するレイアウト処理装置におけるレイアウト調整方法であって、
データが流し込まれる複数の部分領域を関連づけるためのリンクと、前記部分領域内に含まれるデータが流し込まれる複数の小領域を関連付けるためのリンクとを管理する管理工程と、
前記部分領域に流し込まれるデータの大きさに基づいて、それぞれの部分領域に流し込まれるデータを描画するために適した部分領域のサイズをそれぞれ算出する算出工程と、
前記算出工程で算出された各部分領域のサイズと前記管理工程によって管理されている部分領域を関連付けるためのリンクの関係とに基づいて、前記ページ内の複数の部分領域のレイアウトを調整する第１調整工程と、
前記第１調整工程によって調整された複数の部分領域のレイアウト結果と前記複数の小領域を関連付けるためのリンクとに基づいて、それぞれの部分領域内に含まれる複数の小領域のレイアウトを調整する第２調整工程を有することを特徴とするレイアウト調整方法。
【請求項１２】
印刷媒体上に形成されるページのレイアウトを決定するレイアウト調整プログラムであって、
コンピュータに、
データが流し込まれる複数の部分領域を関連づけるためのリンクと、前記部分領域内に含まれるデータが流し込まれる複数の小領域を関連付けるためのリンクとを管理する管理工程と、
前記部分領域に流し込まれるデータの大きさに基づいて、それぞれの部分領域に流し込まれるデータを描画するために適した部分領域のサイズをそれぞれ算出する算出工程と、
前記算出工程で算出された各部分領域のサイズと前記管理工程によって管理されている部分領域を関連付けるためのリンクの関係とに基づいて、前記ページ内の複数の部分領域のレイアウトを調整する第１調整工程と、
前記第１調整工程によって調整された複数の部分領域のレイアウト結果と前記複数の小領域を関連付けるためのリンクとに基づいて、それぞれの部分領域内に含まれる複数の小領域のレイアウトを調整する第２調整工程と、
を実行させることを特徴とするレイアウト調整プログラム。
【手続補正２】
【補正対象書類名】明細書
【補正対象項目名】００１４
【補正方法】変更
【補正の内容】
【００１４】
上記目的を達成するため、本発明は、印刷媒体上に形成されるページのレイアウトを決定するレイアウト調整装置であって、データが流し込まれる複数の部分領域を関連づけるためのリンクと、前記部分領域内に含まれるデータが流し込まれる複数の小領域を関連付けるためのリンクとを管理する管理手段と、前記部分領域に流し込まれるデータの大きさに基づいて、それぞれの部分領域に流し込まれるデータを描画するために適した部分領域のサイズをそれぞれ算出する算出手段と、前記算出手段で算出された各部分領域のサイズと前記管理手段によって管理されている部分領域を関連付けるためのリンクの関係とに基づいて、前記ページ内の複数の部分領域のレイアウトを調整する第１調整手段と、前記第１調整手段によって調整された複数の部分領域のレイアウト結果と前記複数の小領域を関連付けるためのリンクとに基づいて、それぞれの部分領域内に含まれる複数の小領域のレイアウトを調整する第２調整手段を有することを特徴とする。
【手続補正３】
【補正対象書類名】明細書
【補正対象項目名】００１５
【補正方法】変更
【補正の内容】
【００１５】
上記目的を達成するため、本発明は、印刷媒体上に形成されるページのレイアウトを決定するレイアウト処理装置におけるレイアウト調整方法であって、データが流し込まれる複数の部分領域を関連づけるためのリンクと、前記部分領域内に含まれるデータが流し込まれる複数の小領域を関連付けるためのリンクとを管理する管理工程と、前記部分領域に流し込まれるデータの大きさに基づいて、それぞれの部分領域に流し込まれるデータを描画するために適した部分領域のサイズをそれぞれ算出する算出工程と、前記算出工程で算出された各部分領域のサイズと前記管理工程によって管理されている部分領域を関連付けるためのリンクの関係とに基づいて、前記ページ内の複数の部分領域のレイアウトを調整する第１調整工程と、前記第１調整工程によって調整された複数の部分領域のレイアウト結果と前記複数の小領域を関連付けるためのリンクとに基づいて、それぞれの部分領域内に含まれる複数の小領域のレイアウトを調整する第２調整工程を有することを特徴とする。
【手続補正４】
【補正対象書類名】明細書
【補正対象項目名】００１６
【補正方法】変更
【補正の内容】
【００１６】
上記目的を達成するため、本発明は、印刷媒体上に形成されるページのレイアウトを決定するレイアウト調整プログラムであって、コンピュータに、データが流し込まれる複数の部分領域を関連づけるためのリンクと、前記部分領域内に含まれるデータが流し込まれる複数の小領域を関連付けるためのリンクとを管理する管理工程と、前記部分領域に流し込まれるデータの大きさに基づいて、それぞれの部分領域に流し込まれるデータを描画するために適した部分領域のサイズをそれぞれ算出する算出工程と、前記算出工程で算出された各部分領域のサイズと前記管理工程によって管理されている部分領域を関連付けるためのリンクの関係とに基づいて、前記ページ内の複数の部分領域のレイアウトを調整する第１調整工程と、前記第１調整工程によって調整された複数の部分領域のレイアウト結果と前記複数の小領域を関連付けるためのリンクとに基づいて、それぞれの部分領域内に含まれる複数の小領域のレイアウトを調整する第２調整工程と、を実行させることを特徴とする。